(57)【要約】【課題】電線１０の先端に取り付けた端子１２をコネクタハウジング１４に組み込み、端子１２付近の電線１０の外周面とコネクタハウジング１４の電線挿通孔１８の内周面との間を筒状の防水ゴム栓１６で塞いだ防水コネクタにおいて、電線１０が電線挿通孔１８の口元で曲げられても防水性能が低下しないようにする。【解決手段】防水ゴム栓１６として、少なくとも外端側の外周面が端部に向けて外径が漸減するテーパー面Ｔとなっているものを用いる。防水ゴム栓１６は、全長が（外端側のテーパー面Ｔの全部が）コネクタハウジングの電線挿通孔１８内に位置するように組み込む。【選択図】　　図１
2004014168.tif 000002
【特許請求の範囲】
【請求項１】
コネクタハウジングの電線挿通孔の内周面と、前記電線挿通孔に挿通された電線の外周面との間を塞ぐ筒状の防水ゴム栓であって、少なくとも一端側の外周面が端部に向けて外径が漸減するテーパー面となっていることを特徴とする防水ゴム栓。
【請求項２】
電線の先端に取り付けた端子をコネクタハウジングに組み込み、端子付近の電線外周面とコネクタハウジングの電線挿通孔内周面との間を筒状の防水ゴム栓で塞いだ防水コネクタにおいて、前記防水ゴム栓は、少なくとも外端側の外周面が端部に向けて外径が漸減するテーパー面となっており、外端側のテーパー面の全部又は大部分がコネクタハウジングの電線挿通孔内に位置していることを特徴とする防水コネクタ。
【請求項３】
請求項２記載の防水コネクタにおいて、防水ゴム栓の中心軸線に対するテーパー面の角度は、電線が電線挿通孔の中心軸線に対し斜めに曲げられるときの、予測される電線の曲げ角度と実質的に同じに設定されていることを特徴とする防水コネクタ。
【発明の詳細な説明】
【０００１】
【発明の属する技術分野】本発明は、コネクタの防水に用いる防水ゴム栓と、それを用いた防水コネクタに関するものである。
【０００２】
【従来の技術】図３に従来の防水ゴム栓を用いた防水コネクタを示す。図において、１０は電線、１２は電線の端部に取り付けられた端子、１４は端子１２が組み込まれたプラスチック製のコネクタハウジング、１６は端子１２付近の電線１０の外周面とコネクタハウジング１４の電線挿通孔１８の内周面との間を塞ぐ防水ゴム栓、２０はコネクタハウジング１４と相手方のコネクタハウジング（図示せず）との間を塞ぐハウジングシールゴムである。
【０００３】防水ゴム栓１６は筒状で、内周面に電線１０の外周面に密接する複数の環状突起（内周リップ部）２２を有し、外周面に電線挿通孔１８の内周面に密接する複数の環状突起（外周リップ部）２４を有するものである。防水ゴム栓１６及びハウジングシールゴム２０は、シリコーンゴム等の耐薬品性及び耐熱性のよい合成ゴムで出来ている。
【０００４】
【発明が解決しようとする課題】コネクタハウジング１４から引き出される電線１０は、コネクタの設置箇所の制約や、電線１０の配線状況に応じて、図４のように電線挿通孔１８の口元で曲げられることがある。このような状態になると、防水ゴム栓１６は、電線１０の曲げの内側では電線１０と電線挿通孔１８の内面との間で圧迫されて縮むが、電線１０の曲げの外側では電線１０の曲げに追随して伸びることができないため、電線１０と防水ゴム栓１６の内面との間に隙間Ｓができる。特に電線１０が斜めに引張られて曲げられた場合には、隙間Ｓが大きくなる。このような隙間Ｓができると、防水性能が低下する。
【０００５】本発明の目的は、コネクタハウジングの電線挿通孔の口元で電線が曲げられても防水性能が低下しにくい防水ゴム栓と、それを用いた防水コネクタを提供することにある。
【０００６】
【課題を解決するための手段】本発明に係る防水ゴム栓は、コネクタハウジングの電線挿通孔の内周面と、前記電線挿通孔に挿通された電線の外周面との間を塞ぐ筒状の防水ゴム栓であって、少なくとも一端側の外周面が端部に向けて外径が漸減するテーパー面となっていることを特徴とするものである。
【０００７】また本発明に係る防水コネクタは、電線の先端に取り付けた端子をコネクタハウジングに組み込み、端子付近の電線外周面とコネクタハウジングの電線挿通孔内周面との間を筒状の防水ゴム栓で塞いだ防水コネクタにおいて、前記防水ゴム栓は、少なくとも外端側の外周面が端部に向けて外径が漸減するテーパー面となっており、外端側のテーパー面の全部又は大部分がコネクタハウジングの電線挿通孔内に位置していることを特徴とするものである。
【０００８】また本発明に係る防水コネクタにおいて、防水ゴム栓の中心軸線に対するテーパー面の角度は、電線が電線挿通孔の中心軸線に対し斜めに曲げられるときの、予測される電線の曲げ角度と実質的に同じに設定されていることことが望ましい。
【０００９】
【発明の実施の形態】以下、本発明の実施の形態を、図面を参照して詳細に説明する。
【００１０】図１は本発明の一実施形態を示す。この防水コネクタにおける防水ゴム栓１６は、長手方向の中間部Ａの外周面が電線挿通孔１８の内周面に密接する複数の環状突起２４を有する凹凸面となっており、その両端側Ｂ、Ｃの外周面が端部に向けて外径が漸減するテーパー面Ｔとなっているものである。それ以外の構成は、図３に示した従来の防水コネクタと同じであるので、同一部分には同一符号を付して説明を省略する。
【００１１】防水ゴム栓１６は全長が電線挿通孔１８内に位置するように組み込まれる。すると、防水ゴム栓１６の外端側には、電線挿通孔１８の内周面との間に隙間Ｇができる（防水ゴム栓１６の内端側にも同様の隙間ができるが、これは防水性能に関与しない）。この隙間Ｇがあるため防水ゴム栓１６の外端側は、電線１０が電線挿通孔１８の口元で曲げられた場合、図２に示すように、電線１０に追随して屈曲可能である。このため電線１０が曲げられても、電線１０と防水ゴム栓１６の内面との間に隙間が生じにくくなり、防水性能を維持することができる。
【００１２】防水ゴム栓１６の中心軸線に対するテーパー面Ｔの角度αは、電線１０が電線挿通孔１８の中心軸線に対し斜めに曲げられるときの、予測される電線の曲げ角度βと実質的に同じに設定しておくことが好ましい。このようにすれば、電線１０が曲げられた場合でも、防水ゴム栓１６の外端側はテーパー面Ｔが電線挿通孔１８の内周面に接するまで屈曲できるので、電線１０と防水ゴム栓１６の内面との間に、より隙間を出来にくくすることができる。
【００１３】上記の実施形態で、防水ゴム栓の長手方向の両端側にテーパー面を設けたのは、防水ゴム栓を電線外周に装着するときに方向性がないようにするためであり、本発明はこれに限定されるものではない。例えば端子の後端にインシュレーションバレルを設けて防水ゴム栓を把持固定する形式のコネクタにおいては、防水ゴム栓の内端側をインシュレーションバレルで把持固定するのに適した形状とし、外端側の外周面を前記のようなテーパー面にすればよい。
【００１４】また上記の実施形態では、防水ゴム栓１６の全長がコネクタハウジングの電線挿通孔１８内に位置する場合を説明したが、防水ゴム栓は、外端側のテーパー面の先端部が電線挿通孔の端面より若干突出するように組み込まれていてもよい。このような形態でも、上記と同様な効果を得ることができる。要するに、外端側のテーパー面の全部又は大部分がコネクタハウジングの電線挿通孔内に位置していればよい。
【００１５】
【発明の効果】以上説明したように本発明によれば、防水ゴム栓の外端側が電線挿通孔内で電線の曲げに追随できるので、電線挿通孔の口元で電線が曲げられても電線と防水ゴム栓の内面との間に隙間ができにくくなり、良好な防水性能を得ることができる。
【図面の簡単な説明】
【図１】本発明に係る防水ゴム栓及び防水コネクタの一実施形態を示す断面図。
【図２】図１の防水コネクタで、電線が電線挿通孔の口元で屈曲された状態を示す断面図。
【図３】従来の防水ゴム栓及び防水コネクタを示す断面図。
【図４】図３の防水コネクタで、電線が電線挿通孔の口元で屈曲された状態を示す断面図。
【符号の説明】
１０：電線
１２：端子
１４：コネクタハウジング
１６：防水ゴム栓
１８：電線挿通孔
Ｔ：テーパー面
【図１】
2004014168.tif 000003
【図２】
2004014168.tif 000004
【図３】
2004014168.tif 000005
【図４】
2004014168.tif 000006